(57)【要約】【課題】化粧ストレート瓦のつなぎ目が作業員等によって踏まれても化粧ストレート瓦のつなぎ目の下部側に位置する化粧ストレート瓦がひび割れることのないようにする。【解決手段】垂木２上に野地板３を設け、この野地板３上に複数枚の化粧ストレート瓦６を軒から棟に向かって千鳥状に配設し、上部側の化粧ストレート瓦６の頭部６ａが下部側の化粧ストレート瓦６の略中央部を介してさらに下部側の化粧ストレート瓦の尻部６ｂに三重に重なり、かつ、複数枚の化粧ストレート瓦６の棟軒方向に対し直交する方向の端面が互いに接触するようにつながれ、そのつなぎ目９が下部側の化粧ストレート瓦６の上面部に位置する屋根構造において、野地板３と化粧ストレート瓦６との間に網状帯５を介在させ、野地板３上に複数の化粧ストレート瓦６のつなぎ目９の下方に位置するようにテープ７をそれぞれ配設し、これらテープ７により化粧ストレート瓦６のつなぎ目９の下部側に位置する化粧ストレート瓦６のたわみを規制する。【選択図】      図２
2009041281.tif 000002
【特許請求の範囲】
【請求項１】
桁材上に所定間隔を存して複数本の垂木を配設し、この垂木上に野地板を設け、前記野地板上に複数枚の瓦を軒から棟に向かって千鳥状に配設し、上部側の瓦の軒側端部とその下部側の瓦の略中央部とさらに下部側の瓦の棟側端部とを三重に重ね、かつ、前記複数枚の瓦の棟軒方向に対し直交する方向の端面が互いに接触するようにつながれ、そのつなぎ目が下部側の瓦の上面部に位置する屋根構造において、
前記野地板と前記瓦との間にクッション性のあるスペーサーを介在させたことを特徴とする屋根構造。
【請求項２】
前記スペーサーは合成樹脂製の網状帯であることを特徴とする請求項１記載の屋根構造。
【請求項３】
桁材上に所定間隔を存して複数本の垂木を配設し、この垂木上に野地板を設け、前記野地板上に複数枚の瓦を軒から棟に向かって千鳥状に配設し、上部側の瓦の軒側端部とその下部側の瓦の略中央部とさらに下部側の瓦の棟側端部とを三重に重ね、かつ、前記複数枚の瓦の棟軒方向に対し直交する方向の端面が互いに接触するようにつながれ、そのつなぎ目が下部側の瓦の上面部に位置する屋根構造において、
前記野地板上に前記複数の瓦のつなぎ目の下方に位置するように、たわみ規制部材をそれぞれ配設し、これらたわみ規制部材により前記瓦のつなぎ目の下部側に位置する瓦のたわみを規制することを特徴とする屋根構造。
【請求項４】
桁材上に所定間隔を存して複数本の垂木を配設し、この垂木上に野地板を設け、前記野地板上に複数枚の瓦を軒から棟に向かって千鳥状に配設し、上部側の瓦の軒側端部とその下部側の瓦の略中央部とさらに下部側の瓦の棟側端部とを三重に重ね、かつ、前記複数枚の瓦の棟軒方向に対し直交する方向の端面が互いに接触するようにつながれ、そのつなぎ目が下部側の瓦の上面部に位置する屋根構造において、
前記野地板と前記瓦との間にクッション性のあるスペーサーを介在させ、
前記野地板上に前記複数の瓦のつなぎ目の下方に位置するように、たわみ規制部材をそれぞれ配設し、これらたわみ規制部材により前記瓦のつなぎ目の下部側に位置する瓦のたわみを規制することを特徴とする屋根構造。
【請求項５】
前記瓦は、化粧スレート瓦であることを特徴とする請求項１乃至４の何れか一項に記載の屋根構造。
【発明の詳細な説明】
【技術分野】
【０００１】
本発明は、葺設した例えば化粧スレート瓦の踏み割れを防止するための構造を有する屋根構造に関する。
【背景技術】
【０００２】
家の屋根構造としては、例えば、図６及び図７に示すようなものが知られている。
【０００３】
即ち、桁材１０１上に所定間隔を存して複数本の垂木１０２を平行に配設し、この垂木１０２上に野地板１０３を設け、この野地板１０３上に防水シート１０６を介して図８にも示すように複数個の化粧スレート瓦１０４を千鳥状に葺設して構成されている（例えば、特許文献１、特許文献２参照。）。
【０００４】
化粧ストレート瓦１０４は野地板１０３上に軒から棟に向かって上部側の化粧ストレート瓦の軒側端部（以下、頭部という）１０４ａが下部側の化粧ストレート瓦１０４の略中央部を介してさらに下部側の化粧ストレート瓦１０４の棟側端部（以下、尻部という）１０４ｂに三重に重なるように複数配設され、かつ、その棟軒方向に対し直交する方向の端面が互いに接触されてつながれ、このつなぎ目１０７が下部側の化粧ストレート瓦１０４の上面部に位置されている。
【特許文献１】特開平１０−１３１４００号公報
【特許文献２】特開２０００−３１４２０６号公報
【発明の開示】
【発明が解決しようとする課題】
【０００５】
しかしながら、従来においては、この屋根構造において人がその上を施工時などに歩くと、人の荷重によって桁材１０１間の垂木１０２、野地板１０３のたわみ、または垂木１０２間の野地板１０３のたわみが発生する。
【０００６】
化粧ストレート瓦１０４は、若干の柔軟性があり、ある程度の荷重に対しては、野地板のたわみの追随して耐える構造となっているが、一定以上の荷重が作用すると、野地板のたわみが大きくなり、化粧スレート瓦のたわみの限界を超えると、ひび割れが発生する。
【０００７】
特に、野地板１０３と化粧ストレート瓦１０４との間に空間部１０５が形成されていることから、葺設された化粧ストレート瓦１０４の上に、例えば、作業員等が乗った場合には、その荷重によって例えば図８に示すように化粧ストレート瓦１０４に棟軒方向と直交する方向にひび割れ１０４ａが生じてしまう虞があった。
【０００８】
また、化粧ストレート瓦１０４のつなぎ目１０７は強度が弱いため、この化粧ストレート瓦１０４のつなぎ目１０７に作業員等が乗った場合には、つなぎ目１０７の下部側に位置する化粧ストレート瓦１０４が野地板１０３のたわみにともなって大きくたわみ、例えば図８に示すように棟軒方向に沿うひび割れ１０４ｂが生じてしまう虞があった。
【０００９】
本発明は上記事情に着目してなされたもので、その目的とするところは、瓦の上に作業員が乗っても瓦が割れることのないようした屋根構造を提供することにある。
【課題を解決するための手段】
【００１０】
上記課題を解決するため、請求項１記載の発明は、桁材上に所定間隔を存して複数本の垂木を配設し、この垂木上に野地板を設け、前記野地板上に複数枚の瓦を軒から棟に向かって千鳥状に配設し、上部側の瓦の軒側端部とその下部側の瓦の略中央部とさらに下部側の瓦の棟側端部とを三重に重ね、かつ、前記複数枚の瓦の棟軒方向に対し直交する方向の端面が互いに接触するようにつながれ、そのつなぎ目が下部側の瓦の上面部に位置する屋根構造において、前記野地板と前記瓦との間にクッション性を有するスペーサーを介在させたことを特徴とする。
【００１１】
請求項３記載の発明は、桁材上に所定間隔を存して複数本の垂木を配設し、この垂木上に野地板を設け、前記野地板上に複数枚の瓦を軒から棟に向かって千鳥状に配設し、上部側の瓦の軒側端部とその下部側の瓦の略中央部とさらに下部側の瓦の棟側端部とを三重に重ね、かつ、前記複数枚の瓦の棟軒方向に対し直交する方向の端面が互いに接触するようにつながれ、そのつなぎ目が下部側の瓦の上面部に位置する屋根構造において、前記野地板上に前記複数の瓦のつなぎ目の下方に位置するように、たわみ規制部材をそれぞれ配設し、これらたわみ規制部材により前記瓦のつなぎ目の下部側に位置する瓦のたわみを規制することを特徴とする。
【００１２】
請求項４記載の発明は、桁材上に所定間隔を存して複数本の垂木を配設し、この垂木上に野地板を設け、前記野地板上に複数枚の瓦を軒から棟に向かって千鳥状に配設し、上部側の瓦の軒側端部とその下部側の瓦の略中央部とさらに下部側の瓦の棟側端部とを三重に重ね、かつ、前記複数枚の瓦の棟軒方向に対し直交する方向の端面が互いに接触するようにつながれ、そのつなぎ目が下部側の瓦の上面部に位置する屋根構造において、前記野地板と前記瓦との間にスペーサーを介在させ、前記野地板上に前記複数の瓦のつなぎ目の下方に位置するように、たわみ規制部材をそれぞれ配設し、これらたわみ規制部材により前記瓦のつなぎ目の下部側に位置する瓦のたわみを規制することを特徴とする。
【発明の効果】
【００１３】
請求項１記載の発明によれば、作業員等の荷重をスペーサーによって吸収し分散させることができ、瓦が棟軒方向と直交する方向にひび割れする踏み割れを防止することができる。
【００１４】
請求項３記載の発明によれば、瓦のつなぎ目に荷重がかかった場合には、その下部側に位置する瓦のたわみ量をたわみ規制部材によって軽減でき、棟軒方向にひび割れする踏み割れを防止できる。
【００１５】
請求項４記載の発明によれば、スペーサーにより瓦が棟軒方向と直交する方向にひび割れする踏み割れを防止できるとともに、たわみ規制部材により瓦が棟軒方向にひび割れする踏み割れを防止できる。
【発明を実施するための最良の形態】
【００１６】
以下、本発明の実施の形態を図１乃至図５を参照して詳細に説明する。  
図１は本発明の実施の形態である屋根構造を示す側面図で、図２は図１の屋根構造を軒側から見た図である。
【００１７】
図中１は桁材で、この桁材１は所定間隔を存して平行に複数本配設されている。これら複数本の桁材１上に垂木２が配設されている。垂木２は軒から棟に向かって所定角度で傾斜して設けられ、所定間隔を存して平行に複数本配設されている。垂木２上には野地板３が設けられ、この野地板３上には防水シート４が敷設されている。さらに、防水シート４上にはクッション性、及び通気性を有する図４にも示すようなスペーサーとしてのポリプロピレン製の網状帯５が重ね合わされている。この網状帯５上に図３にも示すように複数枚の瓦としての化粧ストレート瓦６が葺設されている。
【００１８】
即ち、化粧ストレート瓦６は、野地板３上に軒から棟に向かって千鳥状に配設され、図１に示すように上部側の化粧ストレート瓦６の軒側端部としての頭部６ａとその下部側の化粧ストレート瓦６の略中央部とさらに下部側の化粧ストレート瓦６の棟側端部としての尻部６ｂとが三重に重なるように複数配設され、かつ、その棟軒方向に対し直交する方向の端面が互いに接触されてつながれ、このつなぎ目９を下部側の化粧ストレート瓦１０４の上面部に位置させている。この配設により、野地板３と化粧ストレート瓦６との間には空間部８が形成され、化粧ストレート瓦６は図示しない瓦固定用釘にて野地板３に固定される。
【００１９】
図５は、クッション性を有するたわみ規制部材としての発泡ポリエチレン製のテープ７を示すものである。
【００２０】
このテープ７は図２及び図３に示すように野地板３上に配設され、野地板３のたわみに追従してたわむ化粧ストレート瓦６のたわみ量を軽減させるようになっている。特に、化粧ストレート瓦６のつなぎ目９は弱く、その下部側に位置する化粧ストレート瓦６は野地板３のたわみにともなって大きくたわむ。そこで、このテープ７は化粧ストレート瓦６のつなぎ目９の下方部に位置してそれぞれ配設され、化粧ストレート瓦６のたわみ量を軽減するようになっている。
【００２１】
このように構成される屋根構造において、例えば、作業員が化粧ストレート瓦６の上に乗った場合には、化粧ストレート瓦６に荷重がかかる。化粧ストレート瓦６と野地板３との間には上記したように空間部８が形成されているため、化粧ストレート瓦６に荷重がかかると、化粧ストレート瓦６に棟軒方向と直交する方向のひび割れが生じる虞がある。
【００２２】
しかしながら、野地板３と化粧ストレート瓦６との間には上記したように網状帯５が介在されているため、網状帯５がクッションとして機能し、化粧ストレート瓦６にかかる荷重を吸収し分散させることができ、ひび割れの発生を防止することができる。
【００２３】
また、作業員が化粧ストレート瓦６のつなぎ目９に乗った場合には、つなぎ目９は強度的に弱いため、つなぎ目９の下部側に位置する化粧ストレート瓦６が野地板５のたわみに伴ってたわみ、特に、垂木２間に位置する化粧ストレート瓦６のつなぎ目９が踏まれた場合には、垂木２間に位置する野地板３のたわみ量が大きいことから、下部側の化粧ストレート瓦６に棟軒方向にひび割れる踏み割れ生じてしまう虞がある。
【００２４】
しかしながら、野地板３上には上記したように化粧ストレート瓦６のつなぎ目９の下方に位置してそれぞれテープ７を配設している。従って、これらテープ７により化粧ストレート瓦６のつなぎ目９の下部側に位置する化粧ストレート瓦６のたわみ量を極力軽減することができ、棟軒方向にひび割れる踏み割れの発生を防止することができる。
【００２５】
上記したように、この実施の形態によれば、網状帯５及びテープ７を備えるため、化粧ストレート瓦６の棟軒方向にひび割れる踏み割れと、棟軒方向と直交する方向にひび割れる踏み割れをそれぞれ防止できる利点がある。
【００２６】
また、網状帯５を備えることにより、野地板３と化粧ストレート瓦６との間の通気が可能となり、屋根全帯での通気層による断熱遮断効果、及び排湿効果を高めることができる利点がある。
【００２７】
なお、この発明は、上述した実施の形態そのままに限定されるものではなく、実施段階ではその要旨を逸脱しない範囲で構成要素を変形して具帯化できる。
【００２８】
また、上述した実施の形態に開示されている複数の構成要素の適宜な組み合わせにより種々の発明を形成できる。例えば、上述した実施の形態に示される全構成要素から幾つかの構成要素を削除しても良い。更に、異なる実施の形態に亘る構成要素を適宜組み合わせても良い。
【図面の簡単な説明】
【００２９】
【図１】本願発明の一実施の形態である屋根構造の一部を示す側面図。
【図２】図１の屋根構造を軒側から見た状態を示す図。
【図３】図１の化粧ストレート瓦の葺設状態を示す平面図。
【図４】図１の屋根構造に用いられる網状帯を示すもので、（ａ）はその平面図、（ｂ）はその側面図。
【図５】図１の屋根構造に用いられるテープを示す斜視図。
【図６】従来における屋根構造の一部を示す側面図。
【図７】図６の屋根構造を軒側から見た状態を示す図。
【図８】図６の化粧ストレート瓦の踏割れ状態を示す平面図。
【符号の説明】
【００３０】
1…桁材、２…垂木、３…野地板、５…網状帯（クッション性を有するスペーサー）、６…化粧ストレート瓦（瓦）、７…テープ（規制部材）、９…つなぎ目。
【図１】
2009041281.tif 000003
【図２】
2009041281.tif 000004
【図３】
2009041281.tif 000005
【図４】
2009041281.tif 000006
【図５】
2009041281.tif 000007
【図６】
2009041281.tif 000008
【図７】
2009041281.tif 000009
【図８】
2009041281.tif 000010